(57)【要約】【課題】デジタル録画機器に録画する場合に、その録画時間内に複数の番組が存在していても、それぞれの番組に対応する番組情報を番組情報記録領域に記録することを可能とするデジタル放送受信機を提供する。【解決手段】選局したチャンネルにて受信している番組の番組情報を取得する番組情報取得手段と、連続する複数の番組をデジタル録画機器に録画させる場合にその複数の番組の番組切り替わりを検出する番組切り替わり検出手段と、切り替わった番組の番組情報を新たに取得し基の番組情報の文字列と新たに取得した番組情報の文字列とを結合して新たな番組情報を生成する録画番組情報設定手段と、前記番組情報を前記デジタル録画機器の番組情報記録領域に記録させるための記録制御用デジタルインターフェースデータを生成し前記デジタル録画機器に送信するデジタルインターフェース信号変換手段とを備えることを特徴とする。【選択図】      図１
2006238100.tif 000002
【特許請求の範囲】
【請求項１】
デジタルインターフェースを介して、自ら選局したチャンネルの映像音声データ及び番組情報データをデジタル録画機器に出力し、かつ前記デジタル録画機器を制御して、前記出力する映像音声データ及び番組情報データを前記デジタル録画機器に記録させることが可能なデジタル放送受信機において、
前記選局したチャンネルにて受信している番組の番組情報データを取得する番組情報取得手段と、
前記選局したチャンネルにおいて時系列的に連続する複数の番組を、前記デジタル録画機器に記録させる場合に、その複数の番組の番組切り替わりを検出する、番組切り替わり検出手段と、
前記番組切り替わり検出手段にて番組の切り替わりを検出したならば、前記番組情報取得手段を用いて、切り替わった番組の番組情報データを新たに取得し、前記番組切り替わり検出前に生成し記憶してある番組情報データと今回新たに取得した番組情報データとを結合して新たな番組情報データを生成し、記憶する録画番組情報設定手段と、
前記録画番組情報設定手段にて生成し、記憶している前記新たな番組情報データを前記デジタル録画機器の番組情報記録領域に記録させるために、前記番組情報データを伴った記録制御用デジタルインターフェースデータを生成し、前記デジタル録画機器に送信するデジタルインターフェース信号変換手段と、
を有することを特徴とするデジタル放送受信機。
【請求項２】
前記録画番組情報設定手段は、複数の番組の番組情報データを結合して生成する新たな番組情報データを前記デジタル録画機器の番組情報記録領域に記録させる場合に、前記デジタル録画機器の番組情報記録領域の記録可能容量を事前に調査して、前記複数の番組情報データを結合して生成する新たな番組情報データの合計容量が前記番組情報記録領域の記録可能容量を超えることを検出した場合には、前記新たな番組情報データの基となる前記結合前の複数の番組情報データの各文字列の先頭から所定量の長さの文字列を抽出して、抽出した前記所定量の長さの文字列の各番組情報データを結合することで、前記新たな番組情報データの合計容量が前記番組情報記憶領域の記録可能容量内に納まるように制御することを特長とする請求項１に記載のデジタル放送受信機。
【発明の詳細な説明】
【技術分野】
【０００１】
本発明は、デジタル放送受信機に係り、特にデジタル録画機器とデジタルインターフェースによって接続され、受信した番組の映像音声データとその番組に付随する番組情報などの付加データとを前記デジタル録画機器に記録させたり、前記デジタル録画機器に記録されている番組の映像音声データとその番組に付随する番組情報などの付加データを再生させたりする制御を行う機能を有するデジタル放送受信機に関する。
【背景技術】
【０００２】
＜デジタル放送＞
デジタル放送では、放送する番組の映像音声信号をＭＰＥＧ２等の圧縮方式により圧縮した映像音声データと、番組名、番組開始／終了時刻等の番組情報データを含む付加データとを、ＭＰＥＧ−ＴＳと呼ばれるストリーム形式で多重化して伝送している。
＜デジタル放送受信機＞
デジタル放送受信機では、その多重化されたＭＰＥＧ−ＴＳから、ユーザーが所望する特定のチャンネルの映像音声データを選択してＭＰＥＧデコードすることにより、映像及び音声をユーザーに提示する。
【０００３】
映像音声データと共に伝送されている番組情報データには、そのチャンネルで現在放送されている番組の情報だけでなく、将来放送される予定の番組の放送開始／終了時刻情報も含まれている。そして、ほとんどのデジタル放送受信機は、これらの番組情報データを用いて電子番組ガイド（ＥＰＧ）を作成してユーザーに提示し、ユーザーがこの電子番組ガイドを用いて番組の予約録画が簡単に行なえるような機能を備えている。
【０００４】
この録画の際に、放送される圧縮された映像音声データをそのままデジタルストリームとして記録できるデジタル録画機器を用いて録画すれば、ＭＰＥＧデコード後のアナログ映像音声信号を通常のアナログ録画機器で記録するよりも、効率よくかつ画質劣化なく録画することができる。またデジタル放送の特長である映像音声データと共に伝送される番組名、番組内容説明などの番組情報データも同時に記録可能であるので、その番組情報データを再生時に利用することで番組名や番組内容などをユーザーに提示することが可能となる。
【０００５】
更に最近では、映像音声信号記録専用ＨＤＤであるＡＶＨＤＤなどのランダムアクセス可能なディスクメディアを使用するデジタル録画機器も登場してきている。このようなディスクメデイアを利用したデジタル録画機器では、上記デジタルストリームの記録だけでなく、録画した番組の番組名等の番組情報データを上記デジタルストリームの記憶領域とは別の番組情報記録領域に記録し、記録したデジタルストリームの再生時に、事前にその番組情報記録領域に記録した番組情報データを再生することで、記録されている番組の番組インデックスを表示させ、ユーザーへの番組選択操作性の向上を図ることが可能となる。
＜ＩＥＥＥ１３９４＞
このような、デジタル録画機器とデジタル放送受信機を相互接続するデジタルインターフェースとして、「ＩＥＥＥ１３９４ハイ・パフォーマンス・シリアルバス」（以下、ＩＥＥＥ１３９４と呼ぶ）がある。
【０００６】
ＩＥＥＥ１３９４は、２種類のデータ転送モードを備えている。時間に関係なく非同期にデータ転送を行うアシンクロナス（Asynchronous）転送モードと、所定の時間（例えば１２５マイクロ秒）内に所定量のデータ（例えば１８８バイト）を転送することを保証するアイソクロナス（Isochronous）転送モードである。アシンクロナス転送モードは転送の時間遅れがあまり問題にならない機器制御の為のコマンドなどのデータの転送に用いられ、アイソクロナス転送モードは時間遅れが問題となる映像音声データなどの転送に用いられる。
【０００７】
図３はこのＩＥＥＥ１３９４を用いたデジタル放送受信機とデジタル録画再生機器とのインターフェースの様子を図示したものである。例えば、デジタル放送受信機で受信したデジタルストリームを、デジタル放送受信機側からデジタル録画機器を制御して録画する場合を考える。このとき、映像音声などを含むデジタルストリームは、Isochronousパケットにパック化してアイソクロナス転送でデジタル放送受信機からデジタル録画機器に送る。そして、録画モードの切り換え、録画開始、停止などのデジタル録画機器への制御コマンドは、Asynchronousパケットにパック化してアシンクロナス転送で送信する。また、デジタル録画機器が前述のＡＶＨＤＤのようなディスクメデイアの場合は、番組情報記録領域への番組情報データの書き込み用制御コマンドも番組情報データと共にアシンクロナス転送で送信する。
＜番組録画＞
このようなデジタルインターフェースを用いた録画システムにおいて、録画を実行する場合、その録画の実行形態として２つの方法がある。ひとつは前述の電子番組ガイドを用いて録画対象を番組毎に選択して録画する形態。もう1つは、番組単位ではなく、録画を行なうチャンネルと録画開始／終了時刻を入力して録画する形態である。
【０００８】
このような２種類の録画方法で、前述のような、番組情報記録領域に番組情報データを記録可能なディスクメディアのデジタル録画機器に録画する場合、前者の電子番組ガイドを用いてデジタル録画を行なう場合は、番組の開始／終了のタイミングが録画の開始／終了のタイミングで一致するので、番組情報記録用領域に書き込む番組情報データはその録画する番組の番組情報データを書き込むことで、記録する番組の内容と番組情報データとの対応がとれる。しかし、後者の、チャンネルと録画開始／終了時刻を入力する方法で録画する場合は、録画の開始／終了時刻と、番組の開始／終了時刻が１対１に対応せずに、１回の録画動作で複数の番組にまたがって記録する場合がある。従来の場合、このような場合の番組の切り替わり時には、デジタル放送受信機はデジタル録画機器に対してなんら制御を行なわなかったので、デジタル録画機器は番組の切り替わりを認識できなかった。従って番組情報記録領域に記録される番組情報データは、録画開始時の番組の番組情報データのみが記録され、番組が切り替わった後の番組の番組情報データは記録できないという課題があった。
【０００９】
上記課題に対して例えば特許文献１では、ユーザーが電子番組ガイドなどを使用して特定の番組を選択して録画する場合は、番組名称を記録し、ユーザーがチャンネルと時間を指定して録画する場合は、放送局名を記録することにより、ユーザーがそれらの記録したデータを再生する場合に、記録した時の記録方法がわかるようにして、番組インデックスを参照した時に混乱を与えないようにする提案がある。
【特許文献１】特開２００２−２７３８０
【発明の開示】
【発明が解決しようとする課題】
【００１０】
しかしながらこの方法だと、記録方法の違いによるユーザーが番組インデックスを参照した際の混乱は避けられるものの、チャンネルと時間を指定して複数の番組を録画する場合に、２番目以降に記録された番組の番組情報データが番組情報記録領域に記録されない課題は解決されていない。
【００１１】
本発明は、このような課題を鑑みてなされたものである。本発明は、ディスクメディアによるデジタル録画機器に、デジタルインターフェースを介して、放送チャンネルと録画開始／終了時刻を指定して録画する場合に、その録画時間内に複数の番組が存在していても、それぞれの番組に対応する番組情報データを番組情報記録領域に記録することが可能となり、ユーザーに対して、記録されている番組の内容と適切に対応がなされている番組インデックスを提示して、番組再生時の操作性を向上させることが可能なデジタル放送受信機を提供することを目的とする。
【課題を解決するための手段】
【００１２】
そこで、上記課題を解決するために本発明は、下記の装置を提供するものである。
（１）デジタルインターフェースを介して、自ら選局したチャンネルの映像音声データ及び番組情報データをデジタル録画機器に出力し、かつ前記デジタル録画機器を制御して、前記出力する映像音声データ及び番組情報データを前記デジタル録画機器に記録させることが可能なデジタル放送受信機において、
前記選局したチャンネルにて受信している番組の番組情報データを取得する番組情報取得手段と、
前記選局したチャンネルにおいて時系列的に連続する複数の番組を、前記デジタル録画機器に記録させる場合に、その複数の番組の番組切り替わりを検出する、番組切り替わり検出手段と、
前記番組切り替わり検出手段にて番組の切り替わりを検出したならば、前記番組情報取得手段を用いて、切り替わった番組の番組情報データを新たに取得し、前記番組切り替わり検出前に生成し記憶してある番組情報データと今回新たに取得した番組情報データとを結合して新たな番組情報データを生成し、記憶する録画番組情報設定手段と、
前記録画番組情報設定手段にて生成し、記憶している前記新たな番組情報データを前記デジタル録画機器の番組情報記録領域に記録させるために、前記番組情報データを伴った記録制御用デジタルインターフェースデータを生成し、前記デジタル録画機器に送信するデジタルインターフェース信号変換手段と、
を有することを特徴とするデジタル放送受信機。
（２）前記録画番組情報設定手段は、複数の番組の番組情報データを結合して生成する新たな番組情報データを前記デジタル録画機器の番組情報記録領域に記録させる場合に、前記デジタル録画機器の番組情報記録領域の記録可能容量を事前に調査して、前記複数の番組情報データを結合して生成する新たな番組情報データの合計容量が前記番組情報記録領域の記録可能容量を超えることを検出した場合には、前記新たな番組情報データの基となる前記結合前の複数の番組情報データの各文字列の先頭から所定量の長さの文字列を抽出して、抽出した前記所定量の長さの文字列の各番組情報データを結合することで、前記新たな番組情報データの合計容量が前記番組情報記憶領域の記録可能容量内に納まるように制御することを特長とする上記（１）に記載のデジタル放送受信機。
【発明の効果】
【００１３】
本発明によれば、番組情報記録領域を持つディスクメディアによるデジタル録画機器に、デジタルインターフェースを介して、放送チャンネルと録画開始／終了時刻を指定して録画する場合に、その録画時間内に複数の番組が存在していても、それぞれの番組に対応する番組情報データを番組情報記録領域に記録することが可能となり、ユーザーに対して、記録されている番組の内容と適切に対応がなされている番組インデックスを提示して、番組再生時の操作性を向上させることが可能となる。
【００１４】
また更には、その番組情報記録領域の容量が不足した場合には、各番組情報データから先頭の一定量の長さの情報を選択して記録することにより、記録容量を削減しながら、番組の概要情報を記録することが可能となる。
【発明を実施するための最良の形態】
【００１５】
以下、図面とフローチャートを用いて本発明の一実施例を説明する。
第１図は、本発明のデジタル放送受信機の一実施例の構成図である。
ＮＩＭ１０１（ネットワーク・インターフェース・モジュール）は、チューナー、デジタル復調、誤り訂正など伝送系の信号処理の機能を有し、その出力は、ＭＰＥＧ−ＴＳとなる。
【００１６】
デスクランブラ１０２では、ＭＰＥＧ−ＴＳにスクランブルが施されている場合には、コントローラＣＰＵ１０８の指示により、デスクランブルする。
デスクランブラ１０２から出力するＭＰＥＧ−ＴＳには、複数の番組の圧縮された映像音声データと番組名などの番組情報データを含む付加データが多重化されている。付加データには、ＰＡＴ（Program Association Table：プログラムアソシエーションテーブル）、ＰＭＴ（Program Map Table：プログラムマップテーブル）などの特定番組を選択するための情報であるＰＳＩ（Program Specific Information：番組特定情報）や、番組名、番組説明などの番組の詳細情報が記述されるＥＩＴ（Event Information Table：イベントインフォメーションテーブル）などのＳＩ（Service Information：番組配列情報）がある。
【００１７】
ＭＰＥＧ−ＴＳデマルチプレクサ１０３では、ＭＰＥＧ−ＴＳに含まれるＰＡＴ、ＰＭＴなどを抽出し、その情報に基づき、コントローラＣＰＵ１０８からの指示により、ある特定の番組に関連する映像音声データを特定し、ＭＰＥＧデコーダ１０４に出力する。デジタルインターフェースを有するデジタル放送受信機のデマルチプレクサでは、上記機能に加えて、特定のチャンネルに関連するデジタルストリームを選択し、外部のデジタル録画機器に対して、図１に示すデジタルインターフェース信号変換部１０７を介して、出力する機能を有する。
【００１８】
ＭＰＥＧデコーダ１０４では、ＭＰＥＧ−ＴＳデマルチプレクサ１０３で特定された映像音声データをデコードし、デコードしたアナログ映像音声信号を出力する。
ＯＳＤ重畳部１０５では、現在視聴している番組の番組名や、電子番組ガイドなどを映像信号に重畳して表示する。ＯＳＤで表示する情報は、コントローラＣＰＵ１０８からの指示によりＭＰＥＧ−ＴＳデマルチプレクサ１０３から前述のＥＩＴなどのＳＩ（番組配列情報）を抽出して得る。
【００１９】
録画番組情報設定部１０６は、録画中にＭＰＥＧ−ＴＳデマルチプレクサ１０３からＥＩＴの更新情報を受け取り、ＥＩＴから番組情報データを抽出し、録画機器に対して番組名を書き込むための１３９４アシンクロナスパケットを生成する。
【００２０】
デジタルインターフェース信号変換部１０７は、ＭＰＥＧ−ＴＳデマルチプレクサ１０３からの特定のチャンネルに関連する情報のみになったデジタルストリームをＩＥＥＥ１３９４のアイソクロナスパケットに変換して１３９４バス上に出力する。また、録画番組情報設定部１０６からの番組情報書き込みパケットをＩＥＥＥ１３９４のアシンクロナスパケットに変換して出力する。
【００２１】
コントローラＣＰＵ１０８は、前記処理部を統合管理して、デジタル放送受信機能を実現する。
次に本発明の一実施例の動作の流れを図２のフローチャートを用いて説明する。
【００２２】
デジタル放送受信機は、放送番組録画開始後、図１に示すＭＰＥＧ−ＴＳデマルチプレクサ１０３から、録画しているチャンネルのＥＩＴを取得し、最初の番組の番組名を抽出する（ステップＳ２０１）（番組情報取得手段）。
【００２３】
次に、抽出した番組名をデジタル録画機器の番組情報記録領域に書き込む（ステップＳ２０２）。この書き込み処理は、抽出した番組名を録画機器の番組情報記憶領域に書き込むための制御コマンドを１３９４アシンクロナスパケットとして生成し、録画機器に対して送信することにより実行される（デジタルインターフェース信号変換手段）。
【００２４】
その後、ＥＩＴの更新および録画停止の監視を行う状態に遷移する（ステップＳ２０３）。この処理は、図１に示すＭＰＥＧ−ＴＳデマルチプレクサ１０３に、ＥＩＴのバージョンアップを監視するように設定することにより、ＥＩＴが更新された時に録画番組情報設定部１０６にその通知が行われるようにする（番組切り替わり検出手段）。録画の停止は、ユーザーがデジタル放送受信機に録画停止を指示した時、もしくは、時間指定の予約録画の場合にはその録画時間が過ぎた時に、コントローラＣＰＵ１０８から通知されるものとする。
【００２５】
録画番組情報設定部１０６は、ＥＩＴ更新の通知または録画停止の通知を受け取った時に、以下に述べるステップＳ２０４からステップＳ２０９の処理を行う。
ステップＳ２０４で録画停止の通知か否かを判断し、録画停止の通知であった場合には、処理を終了する。録画停止の通知でなかった場合、つまりＥＩＴ更新の通知であった場合には、ステップＳ２０５に進む。
【００２６】
ステップＳ２０５では、更新されたＥＩＴから番組名を抽出し、前回取得した番組名と比較する。番組名が同じであった場合には、ステップＳ２０４に戻る。番組名が異なっていた場合には、ステップＳ２０６で、前回取得した番組名に新たに取得した番組名を追加する。例えば、前回取得した番組名が「バングミ１２３」、新たに取得した番組名が「ばんぐみ４５６」であった場合には、間に結合したことが判る識別子を挿入しそれらを結合する。例えば、結合識別子を「／」とした場合には、結合した後の番組名は、「バングミ１２３／ばんぐみ４５６」となる（録画番組情報設定手段）。
【００２７】
デジタル録画機器の番組情報記録領域は、有限の大きさであるため、それを超える大きさの情報を書き込むことができない。ステップＳ２０７では、ステップＳ２０６で生成した番組名が、この制限を越えていないかどうかを確認する。デジタル録画機器の番組名記憶領域の大きさは、番組情報記録憶領域の大きさを取得するための制御コマンドを１３９４アシンクロナスパケットでデジタル録画機器に送信し、そのレスポンスを受け取ることにより取得する。
【００２８】
新たに生成した番組名が番組情報記録領域の大きさより大きい場合には、その領域に書き込めるようにステップＳ２０８で番組名を編集し、大きさを小さくする。例えば、各番組の先頭の数文字を取り出して編集する。具体例としては、番組情報記録領域の記録可能文字数が１２文字であったとした場合、２番組の先頭の５文字づつを取り出し、「バングミ１／ばんぐみ４」というように結合し、新たな番組名を生成する。このような処理を行うことにより、ユーザーが録画した番組を、完全な番組名ではないながらも、基の番組名を推測することができる程度の情報をユーザーに提示することが可能となる。
【００２９】
ステップＳ２０９では、ステップＳ２０６またはステップＳ２０８で生成された番組名をステップＳ２０２と同様に録画機器に書き込む。
上記実施例では、番組名の書き込み手順を示したが、その他の番組情報データ（番組詳細説明情報など）に関しても、同様の手順を用いて複数の番組の情報を記録することができる。
【００３０】
以上のような処理を行うことにより、番組情報記録領域を持つディスクメディアによるデジタル録画機器に、デジタルインターフェースを介して、放送チャンネルと時間を指定して録画する場合に、その録画時間内に複数の番組が存在していても、それぞれの番組に対応する番組情報データを番組情報記録領域に記録することが可能となり、ユーザーに対して、適切に対応がなされている番組インデックスを提示して、番組再生時の操作性を向上させることが可能となる。
【００３１】
また更には、その番組情報記録領域の容量が不足した場合には、各番組情報データから先頭の一定量の長さの情報を選択して書き込むようにすることにより、記録容量を削減しながら、番組の概要情報を記録することが可能となる。
【図面の簡単な説明】
【００３２】
【図１】本発明の一実施例を示す構成図である。
【図２】一実施例の動作の流れを示すフローチャートである。
【図３】デジタル放送受信機とデジタル録画装置とのＩＥＥＥ１３９４インターフェースによる接続関係を示す図である。
【符号の説明】
【００３３】
１０１  ＮＩＭ
１０２  デスクランブラ
１０３  ＭＰＥＧ−ＴＳデマルチプレクサ
１０４  ＭＰＥＧデコーダ
１０５  ＯＳＤ重畳部
１０６  録画番組情報設定部
１０７  デジタルインターフェース信号変換部
１０８  コントローラＣＰＵ
【図１】
2006238100.tif 000003
【図２】
2006238100.tif 000004
【図３】
2006238100.tif 000005